(57)【要約】【課題】ファイルサーバ上でファイルを容易に共有すること。【解決手段】共有装置は、第１〜第Ｎ（Ｎは２以上の整数）のユーザごとにそれぞれ割り当てられている第１〜第Ｎのデータフォルダと、第１〜第Ｎのユーザ間で共有する共有フォルダとを保持するデータ格納部と、第１〜第Ｎのデータフォルダのそれぞれが保持するデータファイルを監視するファイル格納監視部と、第１〜第Ｎのデータフォルダのいずれかにおいて、新たにデータファイルが作成された場合に、データファイルのショートカットファイルを共有フォルダに生成するショートカット管理部と、を備える。【選択図】図１
2018173714.tif 000002
【特許請求の範囲】
【請求項１】
第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持するデータ格納部と、
前記第１〜前記第Ｎのデータフォルダのそれぞれが保持するデータファイルを監視するファイル格納監視部と、
前記第１〜前記第Ｎのデータフォルダのいずれかにおいて、新たに前記データファイルが作成された場合に、前記データファイルのショートカットファイルを前記共有フォルダに生成するショートカット管理部と、を備える、共有装置。
【請求項２】
前記ショートカット管理部は、前記ショートカットファイルの前記データファイルが前記第１〜前記第Ｎのデータフォルダのいずれかにおいて更新された場合、前記ショートカットファイルを更新する、請求項１に記載の共有装置。
【請求項３】
前記ショートカット管理部は、前記ショートカットファイルの前記データファイルが所定の期間更新されない場合、前記共有フォルダから前記ショートカットファイルを削除する、請求項１または２に記載の共有装置。
【請求項４】
前記ショートカット管理部は、前記共有フォルダとは異なる共有フォルダを前記データ格納部に生成する、請求項１〜３のいずれか１項に記載の共有装置。
【請求項５】
請求項１〜４のいずれか１項に記載の共有装置と、
前記共有装置とネットワークを介して接続されたユーザ端末と、を含み、
前記ユーザ端末は、前記共有装置のデータ格納部内の第１〜第Ｎのデータフォルダのうち、予め割り当てられたデータフォルダ内にデータファイルを生成し、かつ共有フォルダにアクセスできる、共有システム。
【請求項６】
第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持し、
前記第１〜前記第Ｎのデータフォルダのそれぞれが保持するデータファイルを監視し、
前記第１〜前記第Ｎのデータフォルダのいずれかにおいて、新たに前記データファイルが作成された場合に、前記データファイルのショートカットファイルを前記共有フォルダに生成する、共有方法。
【請求項７】
前記ショートカットファイルの前記データファイルが前記第１〜前記第Ｎのデータフォルダのいずれかにおいて更新された場合、前記ショートカットファイルを更新する、請求項６に記載の共有方法。
【請求項８】
前記ショートカットファイルの前記データファイルが所定の期間更新されない場合、前記共有フォルダから前記ショートカットファイルを削除する、請求項６または７に記載の共有方法。
【請求項９】
コンピュータに、
第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持する処理と、
前記第１〜前記第Ｎのデータフォルダのそれぞれが保持するデータファイルを監視する処理と、
前記第１〜前記第Ｎのデータフォルダのいずれかにおいて、新たに前記データファイルが作成された場合に、前記データファイルのショートカットファイルを前記共有フォルダに生成する処理と、を実行させる、共有プログラム。
【請求項１０】
前記コンピュータに、
前記ショートカットファイルの前記データファイルが前記第１〜前記第Ｎのデータフォルダのいずれかにおいて更新された場合、前記ショートカットファイルを更新する処理を実行させる、請求項９に記載の共有プログラム。
【発明の詳細な説明】
【技術分野】
【０００１】
本発明は、共有装置、共有システム、共有方法、および共有プログラムに関する。
【背景技術】
【０００２】
フィルサーバ上において、ユーザ間でファイルのやり取りを行う場合、ファイルの更新者からファイルの参照者へ、更新したファイルのパスをメール等で通知することがある。この場合、ファイルの更新者は、ファイルを更新するたびにファイルの対象者にパスを通知する必要があるため手間がかかるという問題がある。また、ファイルサーバ上をファイル検索することによって、更新されたファイルを検索することがある。この場合、検索時にファイルサーバのメタデータを参照するため、ファイルサーバに負荷がかかるという問題がある。そのため、ファイルサーバ上において、更新されたファイルをユーザ間で容易に共有する技術が求められている。
【０００３】
特許文献１は、リンクファイル生成後にファイルの格納場所が移動された場合にも、リンクファイルを介して移動後のファイルにアクセスできるファイル管理装置を開示している。
【０００４】
特許文献２は、メッセージのやり取りを行うユーザ間においてファイル共有を行うための設定を自動化できる情報処理システムを開示している。
【先行技術文献】
【特許文献】
【０００５】
【特許文献１】特開２０１２−１５０７２０号公報
【特許文献２】特開２０１６−０７１３９５号公報
【発明の概要】
【発明が解決しようとする課題】
【０００６】
特許文献１は、リンクファイルのリンク先を、リンク先のファイルの移動に従って追従させているが、ファイルサーバ上のリンクファイルを共有する技術を開示していない。そのため、特許文献１には、リンクファイルをユーザ間で共有できない、という課題がある。
【０００７】
特許文献２は、チャットシステム上においてファイルを共有する技術であるため、チャットシステム用のチャットサーバや、ソフトウエアを導入していることを前提としている。そのため、特許文献２には、チャットシステムで利用している技術を、一般的なファイルサーバに適用することは困難である、という課題がある。
【０００８】
本発明の目的は、ファイルサーバ上でファイルを容易に共有できる、共有装置、共有システム、共有方法、および共有プログラムを提供することにある。
【課題を解決するための手段】
【０００９】
本発明の第１の態様の共有装置は、第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持するデータ格納部と、前記第１〜前記第Ｎのデータフォルダのそれぞれが保持するデータファイルを監視するファイル格納監視部と、前記第１〜前記第Ｎのデータフォルダのいずれかにおいて、新たに前記データファイルが作成された場合に、前記データファイルのショートカットファイルを前記共有フォルダに生成するショートカット管理部と、を備える。
【００１０】
本発明の第２の態様の共有システムは、本発明の第１の態様の共有装置と、前記共有装置とネットワークを介して接続されたユーザ端末と、を含み、前記ユーザ端末は、前記共有装置のデータ格納部内の第１〜第Ｎのデータフォルダのうち、予め割り当てられたデータフォルダ内にデータファイルを生成し、かつ共有フォルダにアクセスできる、共有システム。
【００１１】
本発明の第３の態様の共有方法は、第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持し、前記第１〜前記第Ｎのデータフォルダのそれぞれが保持するデータファイルを監視し、前記第１〜前記第Ｎのデータフォルダのいずれかにおいて、新たに前記データファイルが作成された場合に、前記データファイルのショートカットファイルを前記共有フォルダに生成する。
【００１２】
本発明の第４の態様の共有プログラムは、コンピュータに、第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持する処理と、前記第１〜前記第Ｎのデータフォルダのそれぞれが保持するデータファイルを監視する処理と、前記第１〜前記第Ｎのデータフォルダのいずれかにおいて、新たに前記データファイルが作成された場合に、前記データファイルのショートカットファイルを前記共有フォルダに生成する処理と、を実行させる。
【発明の効果】
【００１３】
本発明によれば、ファイルサーバ上でファイルを容易に共有できる、共有装置、共有システム、共有方法、および共有プログラムを提供することができる。
【図面の簡単な説明】
【００１４】
【図１】本発明の第１の実施形態に係る共有装置の構成を示すブロック図である。
【図２】ファイルサーバ上の共有フォルダにデータファイルのショートカットファイルを生成する方法を説明するための図である。
【図３】本発明の第１の実施形態に係る共有装置の動作の流れを示すフローチャートである。
【図４】本発明の第２の実施形態に係る共有システムの構成を示すブロック図である。
【図５】本発明の第２の実施形態に係る共有システムの動作の流れを示すフローチャートである。
【図６】本発明のその他の実施形態に係る共有装置の構成を示すブロック図である。
【発明を実施するための形態】
【００１５】
以下、図面を参照しながら、本発明の実施形態について詳細に説明する。なお、各図において、同一または相当する部分には同一の符号を付して適宜説明は省略する。
【００１６】
［第１の実施形態］
本発明の第１の実施形態に係る共有装置の構成を示すブロック図である。
【００１７】
共有装置１００は、データ格納部１１０と、ファイル格納監視部１２０と、ショートカット管理部１３０とを備える。
【００１８】
データ格納部１１０は、第１〜第Ｎ（Ｎは２以上の整数）のユーザごとにそれぞれ割り当てられている第１〜第Ｎのデータフォルダと、第１〜第Ｎのユーザ間で共有する共有フォルダとを保持する。ここで、共有ファルダへアクセスするためのアクセス権は、第１〜第Ｎのユーザのうち、任意のユーザに付与することができる。また、データ格納部１１０は、共有フォルダを１つのみ保持していてもよいし、複数の共有フォルダを保持していてもよい。データ格納部１１０が複数の共有フォルダを保持する場合には、共有フォルダごとに、異なるユーザにアクセス権を付与してもよい。
【００１９】
ファイル格納監視部１２０は、第１〜第Ｎのデータフォルダのそれぞれが保持するデータファイルを監視する。具体的には、ファイル格納監視部１２０は、第１〜第Ｎのデータフォルダにおいて、新たにデータファイルが生成されたり、既存のデータファイルが更新されたりした場合に、ショートカット管理部１３０にその旨を通知する。
【００２０】
ショートカット管理部１３０は、第１〜第Ｎのデータフォルダのいずれかにおいて、新たにデータファイルが作成された場合に、そのデータファイルのショートカットファイルを共有フォルダに生成する。また、ショートカット管理部１３０は、既存のデータファイルが更新された場合、共有フォルダが保持するショートカットファイルのうち、対応するデータファイルのショートカットファイルを更新する。さらに、ショートカット管理部１３０は、共有フォルダ内のショートカットファイルが所定の期間が経っても更新されない場合、そのショートカットファイルを削除するようにしてもよい。ここで、ショートカットファイルを削除するまでの所定の期間は、ユーザが任意に定めてよい。
【００２１】
図２は、データ格納部１１０の共有フォルダにデータファイルのショートカットファイルを生成する方法を説明するための図である。
【００２２】
図２に示すように、データ格納部１１０は、共有フォルダ１１１と、第１のデータフォルダ１１２と、第２のデータフォルダ１１３と、を保持する。共有フォルダ１１１は、ユーザ間で共有するデータフォルダである。第１のデータフォルダ１１２は、第１のユーザに割り当てられたデータフォルダである。第２のデータフォルダ１１３は、第２のユーザイン割り当てられたデータフォルダである。すなわち、共有フォルダ１１１は、２人のユーザ間で共有されている。なお、図２に図示するデータ格納部１１０は、例示であり、本発明を限定するものではない。データ格納部１１０は、更に複数のデータフォルダを保持してもよく、共有フォルダ１１１は更に複数のユーザ間で共有してもよい。
【００２３】
図２において、ファイル格納監視部１２０は、データ格納部１１０を監視しており、例えば、第１のデータフォルダ１１２に第１のデータファイル１１２ａが生成された場合に、その旨をショートカット管理部１３０に通知する。この場合、ショートカット管理部１３０は、第１のデータファイル１１２ａにリンクされた第１のショートカットファイル１１２ａ−１を共有フォルダ１１１に生成する。これにより、第２のユーザは、共有フォルダ１１１内の第１のショートカットファイル１１２ａ−１を参照することで、第１のデータフォルダ１１２内の第１のデータファイル１１２ａを、第１のユーザとの間で共有することができる。
【００２４】
また、ファイル格納監視部１２０は、共有フォルダ１１１内の既存の第２のショートカットファイル１１３ａ−１のリンク先である第２のデータフォルダ１１３内の第２のデータファイル１１３ａが更新された場合、その旨をショートカット管理部１３０に通知する。この場合、ショートカット管理部１３０は、共有フォルダ１１１内の第２のショートカットファイル１１３ａ−１を更新する。これにより、第１のユーザは、共有フォルダ１１１内の第２のショートカットファイル１１３ａ−１を参照することで、第２のデータフォルダ１１３内の更新後の第２のデータファイル１１３ａを、第２のユーザとの間で共有することができる。
【００２５】
［第１の実施形態の動作］
図３は、本発明の第１の実施形態に係る共有装置１００の動作の流れを示すフローチャートである。以下、図１および図３を参照しつつ、共有装置１００の動作の流れについて説明する。
【００２６】
まず、ファイル格納監視部１２０は、データ格納部１１０への、データファイルの新たな格納を監視する（ステップＳ１０１）。ファイル格納監視部１２０は、データ格納部１１０に新たなデータファイルの格納があると、その旨をショートカット管理部１３０に通知する（ステップＳ１０２）。
【００２７】
ショートカット管理部１３０は、データ格納部１１０に新たに格納されたデータファイルのショートカットファイルが共有フォルダに存在する否かを確認する（ステップＳ１０３）。共有フォルダにショートカットファイルが存在する場合（ステップＳ１０３において「ＹＥＳ」）、ショートカット管理部１３０は、そのショートカットファイルを更新する（ステップＳ１０４）。また、共有フォルダにショートカットファイルが存在しない場合（ステップＳ１０３において「ＮＯ」）、ショートカット管理部１３０は、対応するデータファイルのショートカットファイルを共有フォルダ内に生成する（ステップＳ１０５）。
【００２８】
上述の通り、共有装置１００は、データファイルのショートカットファイルを特定の共有フォルダに格納できる。そのため、共有装置１００は、対象者に対して当該データファイルのパスを通知する必要なく、対象者に当該データファイルを展開できる。すなわち、共有装置１００は、更新したファイルをユーザ間で容易に共有させることができる。また、共有装置１００は、特定のデータファイルを検索するための処理が不要となるので、検索時にかかる負荷を低減できる。
【００２９】
[第２の実施形態]
図４は、本発明の第２の実施形態に係る共有システムの構成を示すブロック図である。
【００３０】
図４に示すように、共有システム４００は、共有装置１００と、ユーザ端末２００とを含む。共有装置１００と、ユーザ端末２００とは、ネットワーク３００を介して接続されている。ネットワーク３００に特に制限はなく、ネットワーク３００は、有線であってもよいし、無線であってもよい。
【００３１】
共有装置１００は、データ格納部１１０と、ファイル格納監視部１２０と、ショートカット管理部１３０とを備える。
【００３２】
ユーザ端末２００は、ユーザがデータファイルの作成、更新、閲覧等を行うために使用する端末である。ユーザ端末２００は、例えば、共有装置１００のデータ格納部１１０が保持する第１〜第Ｎのデータフォルダのうち、予め割り当てられたデータフォルダ内にデータファイルを生成し、かつ共有フォルダにアクセスできる。このようなユーザ端末２００に特に制限はなく、ユーザ端末２００は、例えば、ＰＣ（Personal Computer）、スマートフォン、タブレット端末であってよい。
【００３３】
［第２の実施形態の動作］
図５は、本発明の第２の実施形態に係る共有システム４００の動作の流れを示すフローチャートである。以下、図４および図５を参照しつつ、共有システム４００の動作の流れについて説明する。
【００３４】
まず、ユーザ端末２００は、共有装置１００のデータ格納部１１０の予め割り当てられたデータフォルダにおいて、データファイルを新たに格納する（ステップＳ２０１）。
【００３５】
次いで、ファイル格納監視部１２０は、ユーザ端末２００によるデータ格納部１１０へのデータファイルの新たな格納を監視する（ステップＳ２０２）。ファイル格納監視部１２０は、データ格納部１１０にユーザ端末２００による新たなデータファイルの格納があると、その旨をショートカット管理部１３０に通知する（ステップＳ２０３）。
【００３６】
ショートカット管理部１３０は、ユーザ端末２００によって新たに格納されたデータファイルのショートカットファイルが、共有フォルダに存在する否かを確認する（ステップＳ２０４）。共有フォルダにショートカットファイルが存在する場合（ステップＳ２０４において「ＹＥＳ」）、ショートカット管理部１３０は、そのショートカットファイルを更新する（ステップＳ２０５）。また、共有フォルダにショートカットファイルが存在しない場合（ステップＳ２０４において「ＮＯ」）、ショートカット管理部１３０は、対応するデータファイルのショートカットファイルを共有フォルダ内に生成する（ステップＳ２０６）。
【００３７】
上述の通り、共有システム４００は、ユーザ端末２００が共有装置１００に作成したり、更新したりしたデータファイルのショートカットファイルを、共有装置１００の特定の共有フォルダに格納することができる。そのため、共有システム４００は、対象者に対して当該データファイルのパスを通知する必要なく、対象者に当該データファイルを展開できる。すなわち、共有システム４００は、更新したファイルをユーザ間で容易に共有させることができる。また、共有システム４００は、共有装置１００上で特定のデータファイルを検索するための処理が不要となるので、検索時に共有装置１００にかかる負荷を低減できる。
【００３８】
［その他の実施形態］
共有装置は、ハードウエアによって実現してもよいし、ソフトウエアによって実現してもよい。また、共有装置は、ハードウエアとソフトウエアの組み合わせによって実現してもよい。
【００３９】
図６は、共有装置を構成する情報処理装置（コンピュータ）の一例を示すブロック図である。
【００４０】
図６に示すように、情報処理装置５００は、制御部（ＣＰＵ：Central Processing Unit）５１０と、記憶部５２０と、ＲＯＭ（Read Only Memory）５３０と、ＲＡＭ（Random Access Memory）５４０と、通信インターフェース５５０と、ユーザインターフェース５６０とを備えている。
【００４１】
制御部（ＣＰＵ）５１０は、記憶部５２０またはＲＯＭ５３０に格納されたプログラムをＲＡＭ５４０に展開して実行することで、共有装置の各種の機能を実現することができる。また、制御部（ＣＰＵ）５１０は、データ等を一時的に格納できる内部バッファを備えていてもよい。
【００４２】
記憶部５２０は、各種のデータを保持できる大容量の記憶媒体であって、ＨＤＤ（Hard Disk Drive）およびＳＳＤ（Solid State Drive）等の記憶媒体で実現することができる。また、記憶部５２０は、情報処理装置５００が通信インターフェース５５０を介して通信ネットワークと接続されている場合には、通信ネットワーク上に存在するクラウドストレージであってもよい。また、記憶部５２０は、制御部（ＣＰＵ）５１０が読み取り可能なプログラムを保持していてもよい。
【００４３】
ＲＯＭ５３０は、記憶部５２０と比べると小容量なフラッシュメモリ等で構成できる不揮発性の記憶装置である。また、ＲＯＭ５３０は、制御部（ＣＰＵ）５１０が読み取り可能なプログラムを保持していてもよい。なお、制御部（ＣＰＵ）５１０が読み取り可能なプログラムは、記憶部５２０およびＲＯＭ５３０の少なくとも一方が保持していればよい。
【００４４】
なお、制御部（ＣＰＵ）５１０が読み取り可能なプログラムは、コンピュータが読み取り可能な様々な記憶媒体に非一時的に格納した状態で、情報処理装置５００に供給してもよい。このような記憶媒体は、例えば、磁気テープ、磁気ディスク、光磁気ディスク、ＣＤ−ＲＯＭ、ＣＤ−Ｒ、ＣＤ−Ｒ／Ｗ、半導体メモリである。
【００４５】
ＲＡＭ５４０は、ＤＲＡＭ（Dynamic Random Access Memory）及びＳＲＡＭ（Static Random Access Memory）等の半導体メモリであり、データ等を一時的に格納する内部バッファとして用いることができる。
【００４６】
通信インターフェース５５０は、有線または無線を介して、情報処理装置５００と、通信ネットワークとを接続するインターフェースである。
【００４７】
ユーザインターフェース５６０は、例えば、ディスプレイ等の表示部、およびキーボード、マウス、タッチパネル等の入力部である。
【００４８】
上記の実施形態の一部または全部は、以下の付記のようにも記載され得るが以下には限られない。
【００４９】
［付記１］
第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持するデータ格納部と、
前記第１〜前記第Ｎのデータフォルダのそれぞれが保持するデータファイルを監視するファイル格納監視部と、
前記第１〜前記第Ｎのデータフォルダのいずれかにおいて、新たに前記データファイルが作成された場合に、前記データファイルのショートカットファイルを前記共有フォルダに生成するショートカット管理部と、を備える、共有装置。
【００５０】
［付記２］
前記ショートカット管理部は、前記ショートカットファイルの前記データファイルが前記第１〜前記第Ｎのデータフォルダのいずれかにおいて更新された場合、前記ショートカットファイルを更新する、付記１に記載の共有装置。
【００５１】
［付記３］
前記ショートカット管理部は、前記ショートカットファイルの前記データファイルが所定の期間更新されない場合、前記共有フォルダから前記ショートカットファイルを削除する、付記１または２に記載の共有装置。
【００５２】
[付記４]
前記ショートカット管理部は、前記共有フォルダとは異なる共有フォルダを前記データ格納部に生成する、付記１〜３のいずれか１つに記載の共有装置。
【００５３】
[付記５]
付記１〜４のいずれか１つに記載の共有装置と、
前記共有装置とネットワークを介して接続されたユーザ端末と、を含み、
前記ユーザ端末は、前記共有装置のデータ格納部内の第１〜第Ｎのデータフォルダのうち、予め割り当てられたデータフォルダ内にデータファイルを生成し、かつ共有フォルダにアクセスできる、共有システム。
【００５４】
［付記６］
第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持し、
前記第１〜前記第Ｎのデータフォルダのそれぞれが保持するデータファイルを監視し、
前記第１〜前記第Ｎのデータフォルダのいずれかにおいて、新たに前記データファイルが作成された場合に、前記データファイルのショートカットファイルを前記共有フォルダに生成する、共有方法。
【００５５】
［付記７］
前記ショートカットファイルの前記データファイルが前記第１〜前記第Ｎのデータフォルダのいずれかにおいて更新された場合、前記ショートカットファイルを更新する、付記６に記載の共有方法。
【００５６】
［付記８］
前記ショートカットファイルの前記データファイルが所定の期間更新されない場合、前記共有フォルダから前記ショートカットファイルを削除する、付記６または７に記載の共有方法。
【００５７】
[付記９]
前記共有フォルダとは異なる共有フォルダを前記データ格納部に生成する、付記６〜８のいずれか１つに記載の共有方法。
【００５８】
［付記１０］
コンピュータに、
第１〜第Ｎ（Ｎは２以上の整数）のユーザごとにそれぞれ割り当てられている第１〜第Ｎのデータフォルダと、前記第１〜前記第Ｎのユーザ間で共有する共有フォルダとを保持する処理と、
前記第１〜前記第Ｎのデータフォルダのそれぞれが保持するデータファイルを監視する処理と、
前記第１〜前記第Ｎのデータフォルダのいずれかにおいて、新たに前記データファイルが作成された場合に、前記データファイルのショートカットファイルを前記共有フォルダに生成する処理と、を実行させる、共有プログラム。
【００５９】
［付記１１］
前記コンピュータに、
前記ショートカットファイルの前記データファイルが前記第１〜前記第Ｎのデータフォルダのいずれかにおいて更新された場合、前記ショートカットファイルを更新する処理を実行させる、付記１０に記載の共有プログラム。
【００６０】
［付記１２］
前記コンピュータに、
前記ショートカットファイルの前記データファイルが所定の期間更新されない場合、前記共有フォルダから前記ショートカットファイルを削除する処理を実行させる、付記１０または１１に記載の共有プログラム。
【００６１】
[付記１３]
前記コンピュータに、
前記共有フォルダとは異なる共有フォルダを前記データ格納部に生成する処理を実行させる、付記１０〜１２のいずれか１つに記載の共有プログラム。
【符号の説明】
【００６２】
１００・・・共有装置
１１０・・・データ格納部
１１１・・・共有フォルダ
１１２・・・第１のデータフォルダ
１１２ａ・・・第１のデータファイル
１１２ａ−１・・・第１のショートカットファイル
１１３・・・第２のデータフォルダ
１１３ａ・・・第２のデータファイル
１１３ａ−１・・・第２のショートカットファイル
１２０・・・ファイル格納監視部
１３０・・・ショートカット管理部
２００・・・ユーザ端末
３００・・・ネットワーク
４００・・・共有システム
５００・・・情報処理装置
５１０・・・制御部（ＣＰＵ）
５２０・・・記憶部
５３０・・・ＲＯＭ
５４０・・・ＲＡＭ
５５０・・・通信インターフェース
５６０・・・ユーザインターフェース
【図１】
2018173714.tif 000003
【図２】
2018173714.tif 000004
【図３】
2018173714.tif 000005
【図４】
2018173714.tif 000006
【図５】
2018173714.tif 000007
【図６】
2018173714.tif 000008